(57)【特許請求の範囲】
【請求項１】
所定箇所に埋設された略Ｕ字状をなす既設配線路用トラフの容積拡張方法であり、
前記既設配線路用トラフ両側壁の上端部近傍位置を掘削して前記上端部を露出させ、
該上端部に、基本形状がＨ形鋼からなる連結アダプターの下側嵌め込み部を既設配線路用トラフの長手方向に間隔をおいて複数被せて前記連結アダプターを設置し、
次いで、設置された隣り合う連結アダプター間の上側嵌め込み部に側壁用部材を嵌め込んで既設の側壁と一体化された新設の拡張用側壁を形成し、
前記拡張用側壁の両上端部には既設の配線路用トラフ蓋を被せてなることを特徴とする既設配線路用トラフの容積拡張方法。
【請求項２】
所定箇所に埋設された略Ｕ字状をなす既設配線路用トラフの容積拡張方法であり、
前記既設配線路用トラフ両側壁の上端部近傍位置を掘削して前記上端部を露出させ、
該上端部に、Ｈ形鋼からなる連結アダプターの下側嵌め込み部を既設配線路用トラフの長手方向に間隔をおき、かつ前記既設配線路用トラフの接続部分に被せて前記連結アダプターを設置し、
次いで、設置された隣り合う連結アダプター間の上側嵌め込み部に側壁用部材を嵌め込んで既設の側壁と一体化された新設の拡張用側壁を形成し、
前記拡張用側壁の両上端部には既設の配線路用トラフ蓋を被せてなることを特徴とする既設配線路用トラフの容積拡張方法。
【請求項３】
所定箇所に埋設され、上面の開口に配線路用トラフ蓋が被せられた略Ｕ字状をなす既設配線路用トラフの容積拡張装置であり、
前記既設配線路用トラフの両側壁上端部近傍位置を掘削し、外部に露出させた両側壁上端部と、
前記露出させた両側壁上端部に、既設配線路用トラフの長手方向に間隔をおいて複数箇所に被せて設置された、上方向に略凹状の嵌め込み部が、下方向に前記露出された両側壁上端部に被さる略逆凹状の嵌め込み部を有するＨ形鋼をなす連結アダプターと、
隣り合う連結アダプター間の上側嵌め込み部に側壁用部材が嵌め込まれて既設の側壁と一体化された新設の拡張用側壁と、
形成された新設側壁の両上端部間に被せられる既設の配線路用トラフ蓋と、
を備えたことを特徴とする既設配線路用トラフの容積拡張装置。
【発明の詳細な説明】
【０００１】
【発明の属する技術分野】
本発明は、鉄道等の線路近傍位置に配設される配線路用トラフの容積拡張方法及び容積拡張装置に関するものである。
【０００２】
【従来の技術】
従来から鉄道等の線路近傍位置には配線路用トラフが設置されている。
そして、この配線路用トラフ内には鉄道等に関する各種の電線、通信線あるいは信号線等の配線群が内部に収納されており、この信号線等が破損しない様に厳重、堅固な配線路用トラフが形成され、永年にわたって漏水、鼠害等が起きないように構築されている。
【０００３】
しかし、年々配線路用トラフ内に収納する通信線、信号線は増加の一歩を辿っており、現在の収納容積では満杯になってしまうことがある。
【０００４】
【発明が解決しようとする課題】
そこで、従来ではかかる課題に対処するため、図９乃至図１２に示すように設置された既設の配線路用トラフ１をもう一度掘り起こして取り出し（図９、図１０参照）、次いで容積の大きな新しい配線路用トラフを設置すべくさらに大きな溝４に掘削し（図１１参照）、その溝４の中に新しい容積の大きな配線路用トラフを埋設設置し、かつ、その中にあらかじめ既設の配線路用トラフ１から取り出していた既設の信号線、電線や通信線等の配線群２と新たに追加すべき新設の配線群３をまとめて収納する作業を行っていた（図１２参照）。
【０００５】
しかしながら、このような方法であると、すでに既設の、しかも使用中の配線路用トラフ１をわざわざ掘り起こして取り出さなければならないと共に、さらに大きな溝４を掘削して新しい大きな配線路用トラフ２０を埋設しなければならず、また新しい配線路用トラフ２０に被せるトラフ蓋２１をも用意して設置しなければならないなど、取り替え作業がかなり面倒であると共に、作業コスト及び製品の製造コストも高価になってしまうとの課題があった。
【０００６】
また前述のように、既設の配線路用トラフ１内に収納されている各種の信号線等の既設配線群２はすべて入れ替えなければならず、この面からも作業がきわめて困難であると共に、入れ替え作業中に重要な信号線を断線してしまうとの恐れがあった。
かくして、本発明はかかる従来の課題を解決するために創案されたものであり、作業も簡単で、コストも安価となり、しかも内部にあらかじめ収納されている既設の各種信号線を入れ替える必要が全くないため、信号線が断線するなどのトラブルが全くない既設配線路用トラフの容積拡張方法及び既設配線路用トラフの容積拡張装置を提供することを目的とするものである。
【０００７】
【課題を解決するための手段】
本発明による既設配線路用トラフの容積拡張方法は、
所定箇所に埋設された略Ｕ字状をなす既設配線路用トラフの容積拡張方法であり、
前記既設配線路用トラフ両側壁の上端部近傍位置を掘削して前記上端部を露出させ、
該上端部に、基本形状がＨ形鋼からなる連結アダプターの下側嵌め込み部を既設配線路用トラフの長手方向に間隔をおいて複数被せて設置し、
次いで、前記設置された隣り合う連結アダプター間の上側嵌め込み部に側壁用部材を嵌め込んで既設の側壁と一体化された新設の拡張用側壁を形成し、
前記拡張用側壁の両上端部には既設の配線路用トラフ蓋を被せてなることを特徴として構成され、
また、所定箇所に埋設された略Ｕ字状をなす既設配線路用トラフの容積拡張方法であり、
前記既設配線路用トラフ両側壁の上端部近傍位置を掘削して前記上端部を露出させ、
該上端部に、Ｈ形鋼からなる連結アダプターの下側嵌め込み部を既設配線路用トラフの長手方向に間隔をおき、かつ前記既設配線路用トラフの接続部分に被せて前記連結アダプターを設置し、
次いで、設置された隣り合う連結アダプター間の上側嵌め込み部に側壁用部材を嵌め込んで既設の側壁と一体化された新設の拡張用側壁を形成し、
前記拡張用側壁の両上端部には既設の配線路用トラフ蓋を被せてなることを特徴として構成され、
また、本発明による既設配線路用トラフの容積拡張装置は、
所定箇所に埋設され、上面の開口に配線路用トラフ蓋が被せられた略Ｕ字状をなす既設配線路用トラフの容積拡張装置であり、
前記既設配線路用トラフの両側壁上端部近傍位置を掘削し、外部に露出させた両側壁上端部と、
前記露出させた両側壁上端部に、既設配線路用トラフの長手方向に間隔をおいて複数箇所に被せて設置された、上方向に略凹状の嵌め込み部が、下方向に前記露出された両側壁上端部に被さる略逆凹状の嵌め込み部を有するＨ形鋼をなす連結アダプターと、
隣り合う連結アダプター間の上側嵌め込み部に側壁用部材が嵌め込まれて既設の側壁と一体化された新設の拡張用側壁と、
形成された新設側壁の両上端部間に被せられる既設の配線路用トラフ蓋と、
を備えて構成されている。
【０００８】
（作用）
本発明によれば、既設配線路用トラフの両側壁上端部に、Ｈ形鋼からなる連結アダプターの下側嵌め込み部を既設配線路用トラフの長手方向に間隔をおき、かつ前記既設配線路用トラフの接続部分に被せて前記連結アダプターを設置してある。
【０００９】
次いで、設置された隣り合う連結アダプター間の上側嵌め込み部に側壁用部材を嵌め込んで既設の側壁と一体化された新設の拡張用側壁を形成してある。
さらに、上方に拡張された新設の拡張用側壁両上端部には既設の配線路用トラフ蓋をそのまま利用して被せてある。
このように、本発明では既設配線路用トラフを掘り起こして新設のものに取り替える必要がない。
【００１０】
従って、中に収納されている既設の信号先頭の配線群を取り出す必要もなく、破損させる恐れがない。
また、拡張作業も容易で、作業コスト等も安価となる。さらに、従来の既設のトラフ蓋はそのまま利用でき、その面からの効率も良い。
【００１１】
【発明の実施の形態】
以下、本発明を図に示す実施の形態に基づいて説明する。
図において、符号１は既設の配線路用トラフを示す。
該配線路用トラフ１は図１から理解されるように、断面略Ｕ字状をなし、所定の長さのブロックとして構成されている。これら配線路用トラフ１が複数個直線状に接続されて配線路が構成されている。
【００１２】
また、その上端開口には既設のトラフ蓋２２が被せられている（図９参照）。
通常、該既設の配線路用トラフ１は、配線路として地中に埋められて使用されており、前記既設トラフ蓋２２が地中面と同一面になるように埋設設置されている（図９参照）。
そして、その配線路の中には各種の信号線や電線、通信線等の既設の配線群２が収納されている。
【００１３】
しかして、既設の配設路用トラフ１は鉄道等の線路の脇近傍位置に埋設されて、線路と同様かなりの長さをもって設置され、この配線路用トラフ１の内部には複数の重要な信号線、通信線あるいは各種の電線等既設配線群２が収納されるものとなっている。
ここで、永年の使用によってはこの配線路用トラフ１内の容積が既設の配線群２で満杯となり、新たに設置すべき信号線や、通信線の収納ができないことがある。
【００１４】
そこで、本発明では、かかる課題を解決するために、新しい配線路用トラフ１を新たに設置するのではなく、既設の配線路用トラフ１に容積を増加させるような追加部材を取り付け、もって配線路用トラフ１の内部の容積を増加させる方法と装置を創案したのである。
本発明にかかる既設配線路用トラフ１の容積拡張方法につき説明すると、まず埋設設置されている既設の配線路用トラフ１両側壁８の上端部９、９近傍位置を掘削し、既設配線路用トラフ１の上端部９、９を外部に露出させる。
【００１５】
次いで、この状態から既設のトラフ蓋７を外す。
この際、すでに設置され、永年使用されている既設配線路用トラフ１の外周面、特に両側壁８の上端部９は洗浄し、綺麗にしておくことが好ましい。
ここで、既設トラフ蓋７が外されて、既設配線路用トラフ１両側壁８、８の上端部９、９が露出されているが、この両上端部９、９に、Ｈ型鋼からなり上側に略凹状の上側嵌め込み部６が、下側に逆凹状をなす下側嵌め込み部７が設けられた連結アダプター５の前記下側嵌め込み部７を被せる。
【００１６】
なお、連結アダプター５を被せる位置であるが、図１から理解されるように、接続されている既設配線路用トラフ１、１の接続部１３に被せるものとする。
この位置に被せれば、配線路用トラフの接続部からずれて蛇行するのを防ぐことができる。
しかして、この連結アダプター５を既設配線路用トラフ１の長手方向に間隔をおいて複数個被せて設置しておく。
【００１７】
ここで、図７、図８に連結アダプター５の他の実施の形態につき述べる。
同図に示すように、この連結アダプター５は上側嵌め込み部６の上端部が連結されて、前記上側嵌め込み部６は縦断面略角筒状をなして形成されている。
よって、この上側嵌め込み部６に嵌め込まれる側壁用部材１０は、図４に示すごとく幅方向両辺が切り欠かれている。
【００１８】
この様に、設置された隣り合う連結アダプター５、５間の上側嵌め込み部６、６に側壁用部材１０、１０を順次嵌め込む作業を行い、既設の側壁と面一になるよう一体化させて新設の拡張用側壁１１、１１を形成する。
ここで、側壁用部材１０は図１、図３、図４から理解されるように、その両端部を連結アダプター５の厚肉分だけ切り欠いておくこと前述したとおりである。
【００１９】
このように形成した拡張用側壁１１、１１の新しい上端部１２、１２には既設の配線路用トラフ蓋２２を用いることができる。
すなわち、配線路の幅の長さは変更されていないからである。
尚、この既設配線路用トラフ１の中に収納されている既設の信号線も電線も通信線等の既設配線群２は一切取り出さずに作業が行えるものであり、従来の作業から比較するとかなりの時間が節約できることとなる。
【００２０】
また、新しい信号線、電線あるいは通信線等の新設配線群３もそのまま収納すればよく、きわめて効率的である。の
ここで、本発明による既設配線路用トラフの容積拡張装置は、前述のごとく鉄道の線路近傍位置に埋設され、上面の開口には配線路用既設トラフ蓋２１が被せられた略Ｕ字状をなす既設配線路用トラフ１をそのまま使用するものである。
【００２１】
そして、既設配線路用トラフ１の両側壁８上端部９近傍位置の地面を掘削し、外部に露出させた両側壁８上端部９を用いる。
この露出させた両側壁８上端部９に、既設配線路用トラフ１の長手方向に間隔をおいて複数箇所に被せて連結アダプター５が設置される。
該連結アダプター５には上方向に略凹状をなす嵌め込み部６が、下方向に前記露出された両側壁８上端部９に被さる略逆凹状の嵌め込み部７を有して構成されている。
【００２２】
そして、隣り合う連結アダプター５、５間の上側嵌め込み部６に側壁用部材１０が嵌め込まれて既設の側壁と一体化された新設の拡張用側壁１１が形成される。
さらに、形成された新設側壁１１の両上端部１２、１２間にはいままでの既設配線路用トラフ蓋２２が利用でき、被せられる。
【００２３】
【発明の効果】
かくして、本発明は以上の構成からなる。
そして、本発明によれば作業効率に優れ、かつ作業コストを安価になしえ、しかも信号線等の配線群を損傷することなく安全に容積を増加させた配線路を形成できるものとなる。
【図面の簡単な説明】
【図１】本発明の構成を説明する構成説明図である。
【図２】本発明の使用状態を説明する断面図である。
【図３】側壁部材の構成を説明する説明図（その１）である。
【図４】側壁部材の構成を説明する説明図（その２）である。
【図５】本発明の使用状態を説明する説明図（その１）である。
【図６】本発明の使用状態を説明する説明図（その２）である。
【図７】本発明の使用状態を説明する説明図（その３）である。
【図８】本発明の使用状態を説明する説明図（その４）である。
【図９】従来例を示す説明図（その１）である。
【図１０】従来例を示す説明図（その２）である。
【図１１】従来例を示す説明図（その３）である。
【図１２】従来例を示す説明図（その４）である。
【符号の説明】
１      既設配線路用トラフ
２      既設配線群
３      新設配線群
４      溝
５      連結アダプター
６      上側嵌め込み部
７      下側嵌め込み部
８      既設配線路用トラフの側壁
９      既設配線路用トラフの側壁上端部
１０    側壁用部材
１１    拡張用側壁
１２    拡張用側壁の上端部
１３    接続部
２０    新設配線路用トラフ
２１    新設トラフ蓋
２２    既設トラフ蓋
【図１】
0003720124.tif 000002
【図２】
0003720124.tif 000003
【図３】
0003720124.tif 000004
【図４】
0003720124.tif 000005
【図５】
0003720124.tif 000006
【図６】
0003720124.tif 000007
【図７】
0003720124.tif 000008
【図８】
0003720124.tif 000009
【図９】
0003720124.tif 000010
【図１０】
0003720124.tif 000011
【図１１】
0003720124.tif 000012
【図１２】
0003720124.tif 000013